(57)【要約】【課題】屋外に設けられた広告表示装置に表示される広告コンテンツと同じ広告を、電気通信回線網を介して不特定多数の者にも配信することができる電子広告システムを提供する。【解決手段】広告制御装置と、複数の広告表示装置とが電気通信回線網を介して接続され、広告制御装置から送信された広告ごとの複数の広告データを、広告コンテンツとして広告表示装置に表示させる電子広告システムであって、電気通信回線網を介して広告表示装置と通信を行うとともに、不特定多数の端末装置とも通信を行う第１通信部と、第１通信部に広告表示装置に対して広告データを送信させるとともに、広告表示装置に表示される広告コンテンツと同じ画像データを不特定多数の端末装置に対して配信させる第１制御部と、を備える。【選択図】図１
2014071232.tif 000002
【特許請求の範囲】
【請求項１】
広告制御装置と、複数の広告表示装置とが電気通信回線網を介して接続され、前記広告制御装置から送信された複数の広告データを、広告コンテンツとして前記広告表示装置に表示させる電子広告システムであって、
前記広告制御装置は、
前記電気通信回線網を介して前記広告表示装置と通信を行うとともに、不特定多数の端末装置とも通信を行う第１通信部と、
前記広告データを記憶する第１記憶部と、
各種操作に必要な情報を表示する第１表示部と、
前記第１通信部に、前記広告表示装置に対して前記広告データを送信させるとともに、前記広告表示装置に表示される広告コンテンツと同じ画像データを不特定多数の端末装置に対して配信させる第１制御部と、を備え、
前記広告表示装置は、
前記電気通信回線網を介して前記広告制御装置から前記広告データの受信を行う第２通信部と、
受信した前記広告データを記憶する第２記憶部と、
前記第２記憶部に記憶された前記広告データを公衆に対して視覚情報として表示する第２表示部と、
前記第２記憶部に記憶された前記広告データを所定の順番で第２表示部に表示させる第２制御部と、を備えることを特徴とする電子広告システム。
【請求項２】
前記第１制御部は、
前記第１通信部に予め許可されたクライアント装置からの接続があった場合、前記第１記憶部に記憶された当該クライアント装置用の広告データを当該クライアント装置が更新可能な状態にし、更新された新たな広告データを前記第１通信部により前記広告表示装置に送信させ、
前記第２制御部は、
前記第２通信部が前記新たな広告データを受信したとき、前記第２記憶部に記憶された当該クライアント装置用の広告データを新たな広告データに書き換えることを特徴とする請求項１に記載の電子広告システム。
【発明の詳細な説明】
【技術分野】
【０００１】
本発明は、街頭、ビルの壁面、道路脇等に設置された複数の広告表示装置に広告コンテンツを表示させるとともに、電気通信回線網を介して不特定多数の者にも同じ広告コンテンツを配信させることができる電子広告システムに関する。
【背景技術】
【０００２】
近年、街頭等の野外広告において、電子看板又はデジタルサイネージといわれる表示装置の発光素子を、電子データにより発光させて広告コンテンツを表示させる電子広告システムが用いられている。例えば、特開平８−１９４４７号公報には、屋外の自立型電子看板装置の表示内容変更作業を容易にして費用の節減を図る目的で、表示装置に、移動送信局又は固定送信局から圧縮された画像データを電波または光によって送信し、該画像データを表示装置に表示させるように構成した電子看板システムが開示されている。
【先行技術文献】
【特許文献】
【０００３】
【特許文献１】特開平８−１９４４７号公報
【発明の概要】
【発明が解決しようとする課題】
【０００４】
しかし、特許文献１に記載の技術では、公衆が広告として認識するのは表示装置に表示された画像のみであり、該表示装置を視認し得る場所に居る者しか、その広告を認識することができないという課題があった。
【０００５】
本発明は、上記の点に鑑みなされたもので、屋外に設けられた広告表示装置に表示される広告コンテンツと同じ広告を、電気通信回線網を介して不特定多数の者にも配信することができる電子広告システムを提供することを目的とする。
【課題を解決するための手段】
【０００６】
本発明の電子広告システムは、
広告制御装置と、複数の広告表示装置とが電気通信回線網を介して接続され、前記広告制御装置から送信された複数の広告データを、広告コンテンツとして前記広告表示装置に表示させる電子広告システムであって、
前記広告制御装置は、
前記電気通信回線網を介して前記広告表示装置と通信を行うとともに、不特定多数の端末装置とも通信を行う第１通信部と、
前記広告データを記憶する第１記憶部と、
各種操作に必要な情報を表示する第１表示部と、
前記第１通信部に、前記広告表示装置に対して前記広告データを送信させるとともに、前記広告表示装置に表示される広告コンテンツと同じ画像データを不特定多数の端末装置に対して配信させる第１制御部と、を備え、
前記広告表示装置は、
前記電気通信回線網を介して前記広告制御装置から前記広告データの受信を行う第２通信部と、
受信した前記広告データを記憶する第２記憶部と、
前記第２記憶部に記憶された前記広告データを公衆に対して視覚情報として表示する第２表示部と、
前記第２記憶部に記憶された前記広告データを所定の順番で第２表示部に表示させる第２制御部と、を備えることを特徴とする。
【０００７】
本発明の電子広告システムによれば、広告制御装置は、広告ごとの複数の広告データを記憶し、複数の広告表示装置に該広告データを送信することができる。また、それぞれの広告表示装置は、受信した広告データを公衆に対して表示する。このため、離間した位置にある複数の広告表示装置にも、１箇所から表示させる広告データを送ることができ、運営コストを低減させることができる。
【０００８】
また、第１制御部は、第１通信部に、電気通信回線網を介して広告表示装置に広告データを送信させるとともに、広告表示装置に表示される広告コンテンツと同じ画像データを不特定多数の端末装置に配信させる。このため、広告表示装置から離れた位置におり、広告表示装置を視認することができない者にも広告を認識させることができるとともに、広告主が自ら所有する端末装置を用いて広告表示装置に表示される広告を確認することができる。
【０００９】
また、広告表示装置は、第２記憶部を備えているため、受信した広告データを記憶することができる。このため、一旦第２記憶部に広告データを記憶すれば、この記憶した広告データを第２表示部に表示させればよい。つまり、第１記憶部に記憶されている広告データに更新等があったとき以外は、電気通信回線網を介して広告データを送受信する必要がなく、電気通信回線網を介しての通信量の削減により、通信コストを低減させることができる。
【００１０】
本発明の電子広告システムの好ましい例は、
前記第１制御部は、
前記第１通信部に予め許可されたクライアント装置からの接続があった場合、前記第１記憶部に記憶された当該クライアント装置用の広告データを当該クライアント装置が更新可能な状態にし、更新された新たな広告データを前記第１通信部により前記広告表示装置に送信させ、
前記第２制御部は、
前記第２通信部が前記新たな広告データを受信したとき、前記第２記憶部に記憶された当該クライアント装置用の広告データを新たな広告データに書き換えることを特徴とする。
【００１１】
本発明の電子広告システムの好ましい例によれば、広告主等がクライアント装置を操作することにより、広告表示装置へ表示させる広告データを変更できる。このため、広告主が、その時期に合った広告を適宜配信することができ、広告効果を高めることができる。
【発明の効果】
【００１２】
本発明によれば、広告制御装置が、広告表示装置に広告データを送信するとともに、広告表示装置に表示される広告コンテンツと同じ画像データを不特定多数の端末装置に配信するため、広告表示装置から離れた位置にいる者に対しても広告を認識させることができ、従来の広告システムに比べて広告効果を高めることができる。
【図面の簡単な説明】
【００１３】
【図１】本発明の一実施形態による電子広告システムの構成を示す図である。
【図２】同実施形態の広告制御装置と広告表示装置の構成を示す図である。
【図３】同実施形態の第１表示部に表示される情報を示す図である。
【図４】同実施形態の広告制御装置から広告表示装置への広告データの送信動作を示すフロー図である。
【図５】同実施形態のクライアント装置による広告データの更新動作を示すフロー図である。
【発明を実施するための形態】
【００１４】
以下、図面を参照し、この発明の実施形態について説明する。図１は、本発明の実施形態による電子広告システムの構成を示すブロック図である。本システムは、広告制御装置１０と、複数の広告表示装置３０ａ，３０ｂ，３０ｃと、複数のクライアント装置６０ａ，６０ｂ，６０ｃとが、電気通信回線網５０を介して接続される構成となっている。また、本システムには、不特定多数の端末装置７０ａ，７０ｂ，７０ｃが任意に接続することができる。この広告制御装置１０は、管理者が常駐するセンターや事務所に設置され、複数の広告表示装置３０ａ，３０ｂ，３０ｃは、公衆が視認し得る駅の通路、ビルの壁面、道路脇等に設置される。また、複数のクライアント装置６０ａ，６０ｂ，６０ｃは、複数の広告主が操作できる場所、つまり広告主の事業所等に設置され、不特定多数の端末装置７０ａ，７０ｂ，７０ｃは、一般ユーザーが所有するパーソナルコンピュータ、携帯電話等の携帯端末機器等である。
【００１５】
図２は、広告制御装置１０及び広告表示装置３０ａの構成を示すブロック図である。なお、他の広告表示装置３０ｂ，３０ｃも広告表示装置３０ａと同様の構成であるため、ここで広告表示装置については広告表示装置３０ａのみの説明をする。
【００１６】
広告制御装置１０は、第１通信部１１と、第１記憶部１２と、第１表示部１３と、第１入力部１４と、第１制御部１５と、それらを接続するバス１６を備える。
【００１７】
第１通信部１１は、電気通信回線網５０を介して複数の広告表示装置３０ａ，３０ｂ，３０ｃとクライアント装置６０ａ，６０ｂ，６０ｃ、及び不特定多数の端末装置７０ａ，７０ｂ，７０ｃと接続され、広告データ、画像音声データ、通信プロトコル等の制御信号等の送受信を行う。電気通信回線網５０としては、ＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）等が採用できるが、ここではインターネットが好適である。また、電気通信回線網５０としては有線、無線の双方が採用できるが、動画コンテンツ等のデータ量が多いものを広告表示装置に表示させる場合、光ファイバーを用いたもの、ＬＴＥ（Ｌｏｎｇ  Ｔｅｒｍ  Ｅｖｏｌｕｔｉｏｎ）等の高速通信に適したものが好ましい。
【００１８】
第１記憶部１２は、ＨＤＤ（Ｈａｒｄ  ｄｉｓｋ  ｄｒｉｖｅ）、ＲＡＭ（Ｒａｎｄｏ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等から構成されている。この第１記憶部１２には、複数の広告主の広告ごとに設けられた複数の広告データとして、広告１データ１０１、広告２データ１０２・・・広告６０データ１６０が記憶されている。これらの広告データには、静止画、動画等の広告コンテンツが含まれている。また、第１記憶部には、ＯＳ（Ｏｐｅｒａｔｉｎｇ  Ｓｙｓｔｅｍ）等の制御プログラム１００も記憶されている。
【００１９】
第１表示部１３は、広告制御装置１０及び広告表示装置３０ａの情報を画面に視覚情報として表示させる。また、第１入力部１４は、キーボード、マウス、トラックボール等の装置から構成され、管理者等の入力により、電子広告システムを操作することができる。
【００２０】
第１制御部１５は、ＣＰＵ（Ｃｅｎｔｒａｌ  Ｐｒｏｃｅｓｓｉｎｇ  Ｕｎｉｔ）等から構成され、上記各部とバス１６で接続されることにより、これらを制御する。本システムの具体的な動作として、第１制御部１５は、第１通信部１１に、第１記憶部１２に記憶された複数の広告データ１０１〜１６０を広告表示装置３０ａに送信させる。この送信させる広告データは、一度その全てを送信してしまえば、次からは更新された広告データのみを送信すればよい。また、同じく第１制御部１５は、第１通信部１１に、広告表示装置３０ａに表示される広告コンテンツと同じ画像データを不特定多数の端末装置７０ａ，７０ｂ，７０ｃに配信させる。
【００２１】
これらのデータの構成として、広告コンテンツである画像、動画、テロップ等を含む広告データと、不特定多数の端末装置７０ａ，７０ｂ，７０ｃに送信させる画像データとを同じものとすることが好ましい。この、広告データと画像データとの共通化により、第１記憶部１２の資源の節約や制御の簡素化を図ることができる。広告データと画像データとを共通化する場合、その広告データを広告表示装置３０ａに表示させる順番、時間等の情報データは別途第１記憶部１２に記憶されるとともに、広告表示装置３０ａに送信される。もっとも、他の実施の形態により広告データに情報データを含む構成とすることもできる。
【００２２】
また、広告表示装置３０ａは、第２通信部３１と、第２記憶部３２と、第２表示部３３と、第２制御部３５と、それらを接続するバス３６を備える。
【００２３】
第２通信部３１は、電気通信回線網５０を介して広告制御装置１０と接続され、広告データ等の送受信を行う。第２記憶部３２は、第１記憶部１２同様の構成で、広告制御装置１０から受信した広告ごとに設けられた複数の広告データ１０１〜１６０、及びＯＳ等の制御プログラム２００を記憶している。
【００２４】
第２表示部３３は、広告データ１０１〜１６０に含まれる広告コンテンツを視覚情報として表示する。この第２表示部３３として、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）、又はＬＥＤ（Ｌｉｇｈｔ  Ｅｍｉｔｔｉｎｇ  Ｄｉｏｄｅ）等の発光素子をマトリクス上に配置させたＬＥＤディスプレイ等が採用できる。広告表示装置３０ａを屋内に設置する場合は、ＬＣＤ、ＰＤＰ等が好適であり、ビルの壁面や野立て看板等の屋外に設置する場合は、画面サイズを大きくできるＬＥＤディスプレイが好適である。
【００２５】
第２制御部３５は、第２記憶部３２に記憶された複数の広告データ１０１〜１６０を、所定の時間と順番で第２表示部３３に表示させる。この表示させる時間と順番は、広告制御装置１０からの情報データにより任意に変更することができる。また、第２制御部３５は、第２通信部３１が広告制御装置１０から新たな広告データを受信した場合、該広告データを第２記憶部３２に記憶させる制御も行う。また、第２制御部３５には、広告表示装置３０ａのメンテナンス用に、別途小型のディスプレイ装置、キーボード、マウス等を接続させることもできる。
【００２６】
次に、本実施形態に係る電子広告システムの機能について説明する。図３は、第１表示部１３に表示される情報を示す。また、図４は、本システムの管理者により広告制御装置１０の広告データが更新された場合の処理フローを示し、図５は広告主が操作するクライアント装置６０ａ，６０ｂ，６０ｃにより広告制御装置１０の広告データが更新された場合の処理フローを示す。
【００２７】
先ず、図３を参照して、第１表示部１３に表示される本システムの操作に必要な情報について説明する。第１表示部１３には、全体画面２０が表示され、その全体画面２０の中に、広告表示装置３０ａ，３０ｂ，３０ｃに表示させる広告データを示すタイムテーブルエリア２１と、それぞれの広告データのサムネイル表示２３、データ形式、データ容量等の情報を示す広告データ一覧エリア２２と、任意の広告データの画像を閲覧できる再生エリア２４と、前記再生エリアで再生中の広告データの詳細を示す詳細表示エリア２５とが設けられている。管理者は、これらの各エリアをマウス、キーボード等で操作することにより、広告データの更新、広告表示装置３０に表示させる広告データの日程、時間割等を決定する。なお、本図のタイムテーブルエリア２１は、１週間表示となっているが、設定の変更により月、日、時、分等の表示に切り替えることもできる。
【００２８】
通常の稼働時、第１記憶部１２に記憶された複数の広告データ１０１〜１６０と、第２記憶部３２に記憶された複数の広告データ１０１〜１６０は同じである（図２参照）。そして、第２制御部３５は、第２記憶部３２に記憶された複数の広告データ１０１〜１６０を所定の時間と順番で第２表示部３３に表示させる。この表示させる時間と順番として、例えば、広告データの数が６０あれば、広告１データ１０１、広告２データ１０２・・・、広告６０データ１６０という具合に数秒から数十秒ずつ順番に表示させ、これを１サイクルとし、このサイクルを繰り返すといった方法がとられる。このとき、広告制御装置１０と広告表示装置３０とは特にデータ等を送受信する必要はない。
【００２９】
また、第１記憶部１２に記憶された複数の広告データ１０１〜１６０と同じ画像データは、Ｗｅｂページ等に開示され、不特定多数の端末装置７０ａ，７０ｂ，７０ｃに配信可能な状態となる。また、画像データを不特定多数の端末装置７０ａ，７０ｂ，７０ｃに配信する別の方法として、会員登録等された端末装置に閲覧用ソフトをインストールして、直接に広告データを配信させることもできる。このように、不特定多数の端末装置７０ａ，７０ｂ，７０ｃに画像データを配信することにより、広告表示装置３０ａ，３０ｂ，３０ｃの近傍にいない者に対しても、広告を認識してもらうことができる。
【００３０】
次に、図４を参照しながら、広告制御装置１０の管理者による広告データの更新がされた場合の処理を説明する。管理者は、第１表示部１３の広告データ一覧エリア２２に新たな広告データを登録する等の操作を行う。これにより、第１記憶部１２に新たな広告データが追加、又は一部の広告データが上書され、第１記憶部１２の広告データが更新される。第１制御部１５は、この広告データの更新がされたか否かを判断し（Ｓ１０１０）、更新されたと判断した場合、第１通信部１１に更新された広告データを広告表示装置３０ａ，３０ｂ，３０ｃに送信させる（Ｓ１０２０）。このとき、当該広告データが追加であるか上書であるか、また追加である場合はどの広告データの後に追加したか、上書である場合はどの広告データを上書したかの情報データもあわせて送信される。
【００３１】
次に、送信された広告データは、広告表示装置３０ａ，３０ｂ，３０ｃの第２通信部３１で受信される。第２制御部３５は、受信された広告データが追加なのか上書なのかを、あわせて受信した情報データにより判断し（Ｓ１０３０）、追加の場合は情報データに記載された広告データの順番に基づいて第２記憶部３２の所定の位置に該広告データ記憶させる（Ｓ１０４０）。一方、上書の場合は第２記憶部３２の対応する広告データを送信された新たな広告データで上書する（Ｓ１０５０）。そして、更新された広告データを含む第２記憶部３２の広告データ１０１〜１６０が第２表示部３３に表示される。
【００３２】
次に、図５を参照して、広告主が操作するクライアント装置６０ａにより、広告データが更新された場合の処理を説明する。このクライアント装置６０ａは、予め管理者により広告制御装置１０へのアクセスが許可されており、その認証には例えば個別のＩＤ、パスワード等が用いられる。なお、他のクライアント装置６０ｂ，６０ｃにおいても、同様の処理が可能である。
【００３３】
先ず、クライアント装置６０ａから広告制御装置１０の第１通信部１１へ接続が試みられると、第１制御部１５は当該接続が許可されたクライアント装置６０ａからのもの否かを判断する（Ｓ２０１０）。この接続要求が、許可されたクライアント装置６０ａからのものでない場合、その接続を却下して処理は終了する（Ｓ２０２０）。一方、接続要求が許可されたクライアント装置６０ａからのものであった場合、接続を許可し、第１記憶部の当該クライアント装置用の広告データを当該クライアント装置６０ａが更新可能な状態とする（Ｓ２０３０）。なお、この更新作業中は、第１記憶部１２に別途作業領域を設けて、その作業領域で広告データの更新作業をすることもできる。
【００３４】
次に、第１制御部１５は、クライアント装置６０ａによる広告データの更新が完了したか否かを判断し（Ｓ２０４０）、更新が完了していない場合、この状態を維持する（Ｓ２０３０）。一方、更新が完了した場合、クライアント装置６０ａとの接続を解除する（Ｓ２０５０）。次に、第１制御部１５は、第１通信部１１により更新された広告データを、情報データとともに広告表示装置３０ａ，３０ｂ，３０ｃに送信させる（Ｓ２０６０）。次に、第２制御部３５は、第２通信部３１により受信された新たな広告データで、第２記憶部３５に記憶された当該クライアント装置用の広告データを上書する（Ｓ２０７０）。そして、上書された広告データを含む第２記憶部３２の広告データ１０１〜１６０が第２表示部３３に表示される。
【００３５】
以上述べたように、本システムによると、複数の広告表示装置３０ａ，３０ｂ，３０ｃを１箇所の広告制御装置１０で管理することができ、運営コストを低減させることができるとともに、広告表示装置３０ａ，３０ｂ，３０ｃに表示される広告コンテンツと同じ画像を、不特定多数の端末装置７０ａ，７０ｂ，７０ｃでも見ることができ、広告表示装置３０ａ，３０ｂ，３０ｃの近傍にいる者以外にも広告効果が及ぶ。また、第２記憶部３５に、広告データ１０１〜１６０を記憶しているため、常時、広告制御装置１０と広告表示装置３０ａ，３０ｂ，３０ｃが通信を行う必要がなく、通信コストを低減させることができる。またさらに、予め許可されたクライアント装置６０ａ，６０ｂ，６０ｃから、当該クライアント装置用の広告データを更新することができるため、広告主がその時期にあった広告を適宜配信することができる。
【００３６】
なお、上述した実施形態は、本発明の電子広告システムの例示であり、本発明の趣旨を逸脱しない範囲において、構成の一部を適宜変更して実施できる。
【符号の説明】
【００３７】
１０・・広告制御装置
１１・・第１通信部
１２・・第１記憶部
１３・・第１表示部
１４・・第１入力部
１５・・第１制御部
１６・・バス
２０・・全体画面
２１・・タイムテーブルエリア
２２・・広告データ一覧エリア
２３・・サムネイル表示
２４・・再生エリア
２５・・詳細表示エリア
３０ａ，３０ｂ，３０ｃ・・広告表示装置
３１・・第２通信部
３２・・第２記憶部
３３・・第２表示部
３５・・第２制御部
３６・・バス
５０・・電気通信回線網
６０ａ，６０ｂ，６０ｃ・・クライアント装置
７０ａ，７０ｂ，７０ｃ・・端末装置
１００，２００・・制御プログラム
１０１〜１６０・・広告データ
【図１】
2014071232.tif 000003
【図２】
2014071232.tif 000004
【図３】
2014071232.tif 000005
【図４】
2014071232.tif 000006
【図５】
2014071232.tif 000007